(57)【特許請求の範囲】
【請求項１】
回転軸貫通部の防水構造であって、
筐体と、
前記筐体に設けられた貫通孔と、
前記貫通孔に回転自在に挿通された回転軸と、
前記筐体の外側において前記回転軸に固定されて一緒に回転する鍔部と、
を備え、
前記筐体の外側および前記鍔部の間には隙間が空いており、
前記隙間にはアキシアル方向のラビリンス構造が設けられており、
前記ラビリンス構造は、
前記筐体の前記隙間側に設けられた前記回転軸の軸心と同心の複数の円環状の凹凸部と、
前記鍔部の前記隙間側に設けられた前記回転軸の軸心と同心の複数の円環状の凹凸部と、
を備え、
前記筐体側の凹凸部および前記鍔部側の凹凸部は、互いに隙間を空けて嵌り合っており、
（１）前記筐体側の凹凸部の円環状の各凸部には、前記筐体側の凹凸部の互いに隣合う円環状の凹部同士を前記凸部を横切って連通するように連通部が設けられている、または
（２）前記鍔部側の凹凸部の円環状の各凸部には、前記鍔部側の凹凸部の互いに隣合う円環状の凹部同士を前記凸部を横切って連通するように連通部が設けられている、
のいずれかを有し、
前記連通部は、前記凸部に設けられた連通凹部、切欠部または貫通孔であり、
前記連通部は、
前記回転軸の軸心を中心とする複数の放射線状の線上にそれぞれ設けられており、かつ
前記放射線状の同一線上において、互いに隣合う前記円環状の凹部同士を連続して連通させないように設けられており、
前記ラビリンス構造を構成する最も外側の前記円環状の凹部からさらに外側に向けて、前記筐体の前記隙間側または前記鍔部の前記隙間側にさらに溝部が設けられており、
前記溝部は、
前記回転軸の軸心を中心とする複数の放射状の線上にそれぞれ設けられており、かつ
前記ラビリンス構造に設けられている最も外側の前記連通部に対して前記放射線状の同一線上に位置しないように設けられており、
前記溝部の放射状の線上に沿った長さ寸法は、前記連通部の放射状の線上に沿った長さ寸法よりも大きい寸法に形成され、
前記ラビリンス構造を構成する最も外側の円環状の凹部からさらに外側に向う部分の間隔は、隣り合う円環状の凹部同士の間隔に対して幅広に形成され、
前記円環状の凹部と前記円環状の凸部の間の隙間の中で、前記連通部または前記溝部によって形成される空間は、その他の空間に比べて広い空間となる、
防水構造。
【請求項２】
請求項１に記載の防水構造において、
前記円環状の各凸部は、
（３）前記各凸部の回転軸側の側面が、前記各凸部の先端に近づくほど外側になるように傾斜して設けられている、および／または
（４）前記各凸部の外側の側面が、前記各凸部の先端に近づくほど回転軸側になるように傾斜して設けられている、
防水構造。
【請求項３】
請求項１又は請求項２に記載の防水構造において、
前記円環状の各凹部は、
（３）前記各凹部の回転軸側の側面が、前記各凹部の底部に近づくほど外側になるように傾斜して設けられている、および／または
（４）前記各凹部の外側の側面が、前記各凹部の底部に近づくほど回転軸側になるように傾斜して設けられている、
防水構造。
【発明の詳細な説明】
【技術分野】
【０００１】
本発明は、筐体に形成される貫通孔に回転自在に回転軸を挿通させる回転軸貫通部の防水構造に関する。
【背景技術】
【０００２】
従来、例えば、モータの回転軸など、回転する回転軸が貫通する部分の防水構造としては、特許文献１（実公平０６−００６６９０）で開示された回転軸貫通部の防水構造がある。特許文献１の回転軸貫通部の防水構造では、回転軸が貫通するブラケットの外側に回転軸に固定してフリンガを設けるとともにブラケットとフリンガとの間にラビリンスを形成し、すなわち、ブラケットにおけるフリンガとの対向面に円環状の凹部を形成し、この凹部にフリンガに形成した円環状の凸部が入り込むように形成した上で、フリンガを被うカバーをブラケットに固着した構成を開示している。そうした防水構造によれば、フリンガとブラケット及び防水カバーとで形成される隙間に関し、ラビリンスが形成されることでブラケットの内外を連通させる隙間を入り組んだ空間にすることで、ブラケットの外側から内側へ水や油などの流動体が浸入するのを防止する。
【０００３】
さらに、特許文献１の回転軸貫通部の防水構造では、ブラケットの内側と外側とを連通する隙間を構成する面のうち、回転軸の軸心に沿う方向へ伸びる外表面を、隙間に沿ってブラケットの内側から外側へ向かうにつれて、回転軸からの距離が遂次大きくなるように形成する構成を開示している。そうした防水構造によれば、隙間を通ってブラケットの外側から内側へ浸入しようとする水などの流動体を、フリンガの回転で生じる遠心力により、ブラケットの内側から外側へ向かって確実に流動させるようにして、そのあと、遠心力によってフリンガの外周部へ流れた流動体は放射方向へ向かって尖った水切り部より接線方向へ飛び、防水カバーを伝って防水カバーの外へ流出させる。
【０００４】
また、特許文献２のラビリンスシールでは、ラビリンスシールを構成する回転ラビリンスにおいて、環状凸部の上面に、切欠を多数、等間隔に加工してある。この場合、切欠を環状凸部上面に加工するので、加工時の寸法確認等の作業を極めて容易に行うことができる。切欠の深さは、本例では、環状凸部の根元には至らないが、その近くまで達する程度に深くしている。このように、回転ラビリンスに切欠を設けたことにより、環状凸部の上面に凹凸構造が形成され、この凹凸構造が簡易なファンと同等の作用を持つので、軸回転時にラビリンスの室内の圧力が高くなり、オイルミストに対するシール効果が向上する。
【０００５】
また、特許文献３の立て軸受のラビリンス構造では、立て軸受の軸受油槽を軸が貫通する位置で軸側に上下方向の向きに設けられた同心で複数個の円環状凹凸の回転ラビリンスと、軸受油槽側に上下方向の向きに設けられその回転ラビリンスの凹凸にはまりこむ同心で複数個の円環状凹凸の固定ラビリンスとよりなるラビリンス構造を開示している。また、このラビリンス構造では、回転ラビリンスの相隣接する凹部の底部に径方向位置を一致させないで軸受油槽内に開口するに至る複数の連通路が設けられている。これにより、運転中は回転ラビリンス凹部の潤滑油が遠心力により貫通孔を通して軸受箱に戻り、溜まり量が低減する。但し、各凸部根元の貫通孔を半径方向には一致させず、流出経路を長くしている。これは、オイルミストの大部分が長い経路壁面に付着して、外部へ流出し難くなることを期待したものである。また、運転時には、回転ラビリンスのラジアルファン作用により、オイルミストが軸受箱へ戻ることも期待されている。
【先行技術文献】
【特許文献】
【０００６】
【特許文献１】実公平０６−００６６９０号公報
【特許文献２】特開２００２−２２０３２号公報
【特許文献３】実開昭５６−１０８０５９号公報
【発明の概要】
【発明が解決しようとする課題】
【０００７】
しかしながら、上記文献記載の従来技術は、以下の点で改善の余地を有していた。
【０００８】
第一に、特許文献１の回転軸貫通部の防水構造では、ラビリンスを形成している円環状の凹部と円環状の凸部との間の隙間の寸法やそれら凹部や凸部が形成されることになるブラケットとフリンガの間の隙間の寸法を小さくするにしたがって、非回転時の防水性能は高まるが、回転時の遠心力によってラビリンス溝に入り込んだ水や油などの流動体を外部に排出することが難しくなる傾向にある。それどころか、その防水構造では、回転するフリンガを軸心に近い位置まで防水カバーで覆い、その防水カバーの外部開口を回転軸に近い部分に形成してあるので、その外部開口から侵入する流動体がフリンガに接触することでそのフリンガの回転時の遠心力で防水カバーの中に侵入することをむしろ促進して、ラビリンス溝に入り込んだ流動体を外部に排出することを妨げる恐れがある。
【０００９】
第二に、特許文献２および特許文献３のラビリンス構造は、いずれも回転時にオイルミストが筐体の内部から外部へ漏れるのを防止することを目的とした構造であるため、筐体の外部から内部に水や油などの流動体がラビリンス溝を通って入り込んでくることを抑制することは困難である。それどころか、これらのラビリンス構造では、回転ラビリンスのラジアルファンと同様の作用により、ラビリンス溝に入り込んだ水や油などの流動体が筐体の内部に侵入することをむしろ促進してしまうことになる。
【００１０】
本発明は上記事情に鑑みてなされたものであり、ラビリンスを形成している円環状の凹部と円環状の凸部の間の隙間や筐体と回転軸の鍔部の間の隙間の寸法を小さくして回転軸の非回転時の防水性能を高めることと、それら隙間に入り込んでしまった水や油などの流動体を回転軸の回転にともない発生する遠心力で外部に排出すること、とを両立することを可能にする回転軸貫通部の防水構造を提案することを目的とする。
【課題を解決するための手段】
【００１１】
上記目的を達成するために、本発明の回転軸貫通部の防水構造は、筐体と、その筐体に設けられた貫通孔と、その貫通孔に回転自在に挿通された回転軸と、その筐体の外側においてその回転軸に固定されて一緒に回転する鍔部と、を備える。また、その筐体の外側およびその鍔部の間には隙間が空いており、その隙間にはアキシアル方向のラビリンス構造が設けられている。さらに、そのラビリンス構造は、その筐体のその隙間側に設けられたその回転軸の軸心と同心の複数の円環状の凹凸部と、その鍔部のその隙間側に設けられたその回転軸の軸心と同心の複数の円環状の凹凸部と、を備える。そして、その筐体側の凹凸部およびその鍔部側の凹凸部は、互いに隙間を空けて嵌り合っており、（１）その筐体側の凹凸部の円環状の各凸部には、その筐体側の凹凸部の互いに隣合う円環状の凹部同士をその凸部を横切って連通するための連通部が設けられている、または（２）その鍔部側の凹凸部の円環状の各凸部には、その鍔部側の凹凸部の互いに隣合う円環状の凹部同士をその凸部を横切って連通するための連通部が設けられている。
【００１２】
この回転軸貫通部の防水構造によれば、筐体と鍔部の間のアキシアル方向のラビリンス構造に侵入した水や油などの流動体が、その粘性によって鍔部と一緒に回転することで遠心力を受けて鍔部の外周側に向かって移動させられる。その際に、筐体側の凹凸部および鍔部側の凹凸部が互いに嵌り合っている部分における回転軸の軸方向の隙間の寸法に比べて、互いに隣合う円環状の凹部同士を凸部を横切って連通する連通部における回転軸の軸方向の隙間の寸法の方が大きく形成されているため、遠心力によって移動させられる流動体が内側の円環状の凹部から連通部に導かれて、その連通部を通して隣でかつ外側の円環状の凹部に向けて移動し易くなる。
【００１３】
すなわち、筐体に形成される円環状の凹部の中を、鍔部に形成される円環状の凸部が回転する場合も、筐体に形成される円環状の凸部の周りを鍔部に形成される円環状の凹部が回転する場合も、水や油などの流動体は、鍔部に形成されて回転する円環状の凸部または円環状の凹部によって回転させられるとともに、その回転による遠心力を受けて外側に移動しようとする。その結果、流動体が内側の円環状の凹部の外側の側面に形成される連通部の開口に導かれ、または、その開口に掻き取られて、連通部を通して外側でありかつ隣の円環状の凹部に向けて容易に移動することになる。したがって、この回転軸貫通部の防水構造によれば、筐体と鍔部の間の隙間および円環状の凹部と円環状の凸部の間の隙間を小さくして、外側から内側に向けてその隙間に流動体が侵入することを防止することと、筐体と鍔部の間に流動体が侵入しても回転軸の回転時にともない発生する遠心力で確実に外部に流動体を排出することと、を両立することができる。
【発明の効果】
【００１４】
本発明の回転軸貫通部の防水構造によれば、ラビリンスを形成する円環状の凹部と円環状の凸部の間の隙間や筐体と鍔部の間の隙間の寸法を小さくして回転軸の非回転時の防水性能を高めることと、それら隙間に入り込んでしまった水や油などの流動体を回転軸の回転にともない発生する遠心力で確実に外部に排出すること、とを両立して防水性能を高めることができる。
【図面の簡単な説明】
【００１５】
【図１】実施形態１の回転軸貫通部の防水構造であって、筐体に円環状の凹部を形成し、鍔部に円環状の凸部を形成してあるとともに円環状の凹部同士を繋げる連通部を形成してある構成の一例を示し、図（ａ）は、回転軸貫通部を回転軸の軸方向に向かって筐体の外側から見るとともに鍔部を透かして見るために鍔部を点線で表示した図であり、図（ｂ）のＥ−Ｅ矢視平面図であり、図（ｂ）は、図（ａ）のＤ−Ｄ矢視断面図である。
【図２】図（ａ）は、図１のＡ−Ａ矢視断面図であり、図（ｂ）は、図１のＢ−Ｂ矢視断面図であり、そして、図（ｃ）は、図１のＣ−Ｃ矢視断面図である。
【図３】実施形態２の回転軸貫通部の防水構造であって、筐体に円環状の凹部を形成し、鍔部に円環状の凸部を形成してあるとともに円環状の凸部に切欠部からなる連通部を形成してある構成の一例を示し、図（ａ）は、回転軸貫通部を回転軸の軸方向に向かって筐体の外側から見るとともに鍔部を透かして見るために鍔部を点線で表示した図であり、図（ｂ）のＥ−Ｅ矢視平面図であり、図（ｂ）は、図（ａ）のＤ−Ｄ矢視断面図である。
【図４】図（ａ）は、図３のＡ−Ａ矢視断面図であり、図（ｂ）は、図３のＢ−Ｂ矢視断面図であり、そして、図（ｃ）は、図３のＣ−Ｃ矢視断面図である。
【図５】実施形態３の回転軸貫通部の防水構造であって、筐体に円環状の凸部を形成し、鍔部に円環状の凹部を形成してあるとともに円環状の凹部同士を繋げる連通部を形成してある構成の一例を示し、図（ａ）は、回転軸貫通部を回転軸の軸方向に向かって筐体の外側から見るとともに鍔部を透かして見るために鍔部を点線で表示した図であり、図（ｂ）のＥ−Ｅ矢視平面図であり、図（ｂ）は、図（ａ）のＤ−Ｄ矢視断面図である。
【図６】図（ａ）は、図５のＡ−Ａ矢視断面図であり、図（ｂ）は、図５のＢ−Ｂ矢視断面図であり、そして、図（ｃ）は、図５のＣ−Ｃ矢視断面図である。
【図７】実施形態４の回転軸貫通部の防水構造であって、筐体に円環状の凸部を形成し、鍔部に円環状の凹部を形成してあるとともに円環状の凸部に切欠部からなる連通部を形成してある構成の一例を示し、図（ａ）は、回転軸貫通部を回転軸の軸方向に向かって筐体の外側から見るとともに鍔部を透かして見るために鍔部を点線で表示した図であり、図（ｂ）のＥ−Ｅ矢視平面図であり、図（ｂ）は、図（ａ）のＤ−Ｄ矢視断面図である。
【図８】図（ａ）は、図７のＡ−Ａ矢視断面図であり、図（ｂ）は、図７のＢ−Ｂ矢視断面図であり、そして、図（ｃ）は、図７のＣ−Ｃ矢視断面図である。
【図９】実施形態１の回転軸貫通部の防水構造の変形例であって、筐体に円環状の凹部を形成し、鍔部に円環状の凸部を形成してある構成の他の一例を示し、図２の図（ｂ）の矢視断面図に相当する部分で代表して示し、図（ａ）は、円環状の凹部の回転軸側の側面が回転軸側に傾斜し、円環状の凹部の回転軸の反対側の側面が回転軸の反対側に傾斜し、円環状の凸部の回転軸側の側面が回転軸の反対側に傾斜し、円環状の凸部の回転軸の反対側の側面が回転軸側に傾斜している図であり、図（ｂ）は、円環状の凹部の回転軸側の側面が回転軸側に傾斜し、円環状の凸部の回転軸側の側面が回転軸の反対側に傾斜している図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
＜実施形態１＞
図１は、実施形態１の回転軸貫通部の防水構造であって、筐体に円環状の凹部を形成し、鍔部に円環状の凸部を形成してあるとともに円環状の凹部同士を繋げる連通部を形成してある構成の一例を示す。図１（ａ）は、回転軸貫通部を回転軸の軸方向に向かって筐体の外側から見るとともに鍔部を透かして見るために鍔部を点線で表示した図であり、図１（ｂ）のＥ−Ｅ矢視平面図である。図１（ｂ）は、図１（ａ）のＤ−Ｄ矢視断面図である。
【００１８】
実施形態１の回転軸貫通部の防水構造は、筐体１０と、筐体１０に設けられた貫通孔１０ａと、その貫通孔１０ａに回転自在に挿通された回転軸２０と、筐体１０の外側において回転軸２０に固定されて一緒に回転する鍔部３０と、を備える。その防水構造では、筐体１０の外側から貫通孔１０ａを鍔部３０で蓋をするように、その鍔部３０を回転軸に固定してある。ここで、回転軸貫通部１は、筐体１０に形成される貫通孔１０ａに回転自在に回転軸２０を挿通する部分である。例えば、電動の回転モータであれば、筐体１０が、回転軸２０の基端側と、回転子と、固定子とを含む回転駆動源を納める筐体１０であって、回転軸貫通部１が、筐体１０に形成する貫通孔１０ａに回転自在に回転軸２０の先端側を挿通した部分となる。また、回転軸２０の外周面と、その回転軸２０を回転自在に挿通する貫通孔１０ａ（以下、単に貫通孔１０ａと称する。）の内周面の間には、回転軸２０の回転を妨げないように第１隙間ｇ１が形成されている。なお、回転軸２０は、軸心部分が中空であっても良い。また、回転軸２０は、筐体１０の内部で転がり軸受などの回転軸受部材２１で軸受されていても良い。また、回転軸貫通部１は、筐体１０が電動の回転モータの筐体であるものに限定されず、貫通孔１０ａを形成するとともにその貫通孔１０ａに軸体が回転自在に挿通されているものであれば良い。
【００１９】
なお、この回転軸貫通部１は、筐体１０のうちの回転軸貫通部１側の部分１１０と、それ以外の部分２１０とを異なる形状に形成し、筐体１０の回転軸貫通部１側の部分１１０を回転軸２０の軸心と同軸の円筒形に形成して、一方の端面、すなわち、筐体１０の鍔部３０に対面する面１１に、回転軸２０を回転自在に挿通する貫通孔１０ａを形成しても良い。また、鍔部３０は、鍔部３０の外縁部３０ａを、筐体１０の円筒形の端部に倣って、筐体１０側に折り曲げるようにして、筐体１０の回転軸貫通部１側の部分１１０の外周面１１０ａの少なくとも一部を覆う形状に形成すると良い。また、筐体１０は、鍔部３０に対面する面１１に、鍔部３０を回転軸２０の軸方向に少なくとも一部を埋没させる有底の（円環状の）穴または溝を形成しても良い（図示省略）。もちろん、どちらの場合にも、筐体１０に対して鍔部３０が回転自在になるように、筐体１０と鍔部３０の間には、第２隙間ｇ２が形成されている。
【００２０】
実施形態１の回転軸貫通部の防水構造では、筐体１０の外側および鍔部３０の間には第２隙間ｇ２が空いており、第２隙間ｇ２にはアキシアル方向のラビリンス構造が設けられている。すなわち、回転軸貫通部１では、貫通孔１０ａと回転軸２０との間に形成される第１隙間ｇ１を通して水や油などの流動体が筐体１０の中に侵入するのを防止するために、回転軸２０に固定され、あるいは、一体に形成されるとともに回転軸２０と一緒に回転する鍔部３０が設けられている。そして、鍔部３０が筐体１０に対面して、鍔部３０と筐体１０の間に入り組んだ空間（ラビリンス構造）となる第２隙間ｇ２が形成される。
【００２１】
図２（ａ）は、図１のＡ−Ａ矢視断面図である。図２（ｂ）は、図１のＢ−Ｂ矢視断面図である。そして、図２（ｃ）は、図１のＣ−Ｃ矢視断面図である。実施形態１の回転軸貫通部の防水構造では、ラビリンス構造は、筐体１０のその第２隙間ｇ２側に設けられた回転軸２０の軸心と同心の複数の円環状の凹凸部を備える。また、ラビリンス構造は、鍔部３０のその第２隙間ｇ２側に設けられた回転軸２０の軸心と同心の複数の円環状の凹凸部を備える。そして、筐体１０側の凹凸部および鍔部３０側の凹凸部は、互いに第２隙間ｇ２を空けて嵌り合っている。すなわち、筐体１０と鍔部３０の間の第２隙間ｇ２では、鍔部３０の筐体１０に対面する面３１に、回転軸２０の軸心と同心であって、回転軸２０の軸方向に突き出る円環状の凸部３１ｂが形成されており、また、筐体１０の鍔部３０に対面する面１１に、回転軸２０の軸心と同心であって、対面する円環状の凸部３１ｂが隙間を空けて挿入される円環状の凹部１１ａが形成されていることで、入り組んだ空間の形状（ラビリンス構造）に形成されている。そして、筐体１０と鍔部３０の間の第２隙間ｇ２は、第１隙間ｇ１と筐体１０の外部との間に形成され、その空間が入り組んだ形状（ラビリンス構造）に形成されることで、第１隙間ｇ１にまで流動体を侵入させないために設けられる。また、第２隙間ｇ２に侵入してしまった流動体は、第２隙間ｇ２の空間の一部を成す鍔部３０が回転軸２０と一緒に回転することで、流動体自身の粘性によって鍔部３０と一緒に回転して遠心力を受けて、筐体１０の外部に排出される。
【００２２】
ラビリンス構造における筐体１０側の円環状の凹部１１ａの数（鍔部３０側の円環状の凸部３１ｂの数）は、２〜１０の範囲が好ましく、特に好ましくは３〜５である。円環状の凹凸部の数がこの範囲内であれば、十分に入り組んだ空間の形状が得られるため、外側から内側に向けて第２隙間ｇ２に流動体が侵入することを防止することができ、かつ筐体１０および鍔部３０の形状が複雑になり過ぎないため好ましい。なお、この円環状の凹凸部の数は、２、３、４、５、６、７、８、９、１０のうち任意の数値または任意の２つの数値の範囲内であってもよい。
【００２３】
実施形態１の回転軸貫通部の防水構造では、筐体１０側の凹凸部の円環状の各凸部１１ｂには、筐体１０側の凹凸部の互いに隣合う円環状の凹部１１ａ同士をその凸部１１ｂを横切って連通するための連通部（連通凹部）１１ｃが設けられている。すなわち、第２隙間ｇ２には、隣り合う円環状の凹部１１ａ同士を連通する連通凹部１１ｃから成る空間が設けられる。この構成によれば、筐体１０と鍔部３０の間のアキシアル方向のラビリンス構造に侵入した水や油などの流動体が、その粘性によって鍔部３０と一緒に回転することで遠心力を受けて鍔部３０の外周側に向かって移動させられる。その際に、筐体１０側の凹凸部および鍔部３０側の凹凸部が互いに嵌り合っている部分における回転軸の軸方向の第２隙間ｇ２の寸法に比べて、互いに隣合う円環状の凹部１１ａ同士を凸部１１ｂを横切って連通する連通部１１ｃにおける回転軸２０の軸方向の隙間の寸法の方が大きく形成されているため、遠心力によって移動させられる流動体が内側の円環状の凹部１１ａから連通部１１ｃに導かれて、その連通部１１ｃを通して隣でかつ外側の円環状の凹部１１ａに向けて移動し易くなる。
【００２４】
筐体１０側の凹凸部および鍔部３０側の凹凸部が互いに嵌り合っている部分における回転軸２０の軸方向の第２隙間ｇ２の寸法は、０．５ｍｍ〜２．０ｍｍの範囲が好ましく、特に好ましくは０．８ｍｍ〜１．２ｍｍである。第２隙間ｇ２の寸法がこの範囲内であれば、円環状の凹部１１ａと円環状の凸部３１ｂの間の第２隙間ｇ２が小さいため、外側から内側に向けてその第２隙間ｇ２に流動体が侵入することを防止することができる。なお、この第２隙間ｇ２の寸法は、０．５ｍｍ、０．６ｍｍ、０．７ｍｍ、０．８ｍｍ、０．９ｍｍ、１．０ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２．０ｍｍのうち任意の数値または任意の２つの数値の範囲内であってもよい。
【００２５】
一方、互いに隣合う円環状の凹部１１ａ同士を凸部１１ｂを横切って連通する連通部１１ｃの回転軸２０の軸方向の寸法は、ゼロを超える寸法から凸部１１ｂの高さ寸法までの範囲が好ましく、特に好ましくは、凸部１１ｂの高さ寸法ｈ１と筐体１０側の凹凸部および鍔部３０側の凹凸部が互いに嵌り合っている部分における回転軸の軸方向の第２隙間ｇ２の寸法ｈ２の差分ｈ３（＝ｈ１−ｈ２）から凸部１１ｂの高さ寸法ｈ１までの範囲である。例えば、この連通部１１ｃの寸法は、第２隙間ｇ２の寸法が１．０ｍｍ、凸部１１ｂの高さ寸法ｈ１が３．０ｍｍとすると、ゼロを超えて〜３．０ｍｍの範囲が好ましく、特に好ましくは２．０ｍｍ〜３．０ｍｍである。連通部１１ｃの寸法がこの範囲内であれば、連通部１１ｃにおける回転軸２０の軸方向の寸法が大きく形成されているため、筐体１０と鍔部３０の間に流動体が侵入しても回転軸の回転時にともない発生する遠心力で確実に外部に流動体を排出することができる。なお、この連通部１１ｃの寸法は、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１．０ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２．０ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３．０ｍｍのうち任意の数値または任意の２つの数値の範囲内であってもよい。
【００２６】
すなわち、筐体１０に形成される円環状の凹部１１ａの中を、鍔部３０に形成される円環状の凸部３１ｂが回転する場合、水や油などの流動体は、鍔部３０に形成されて回転する円環状の凸部３１ｂによって回転させられるとともに、その回転による遠心力を受けて外側に移動しようとする。その結果、流動体が内側の円環状の凹部１１ａの外側の側面に形成される連通部１１ｃの開口に導かれ、または、その開口に掻き取られて、連通部１１ｃを通して外側でありかつ隣の円環状の凹部１１ａに向けて容易に移動することになる。したがって、この構成によれば、筐体１０と鍔部３０の間の隙間および円環状の凹部１１ａと円環状の凸部３１ｂの間の第２隙間ｇ２を小さくして、外側から内側に向けてその第２隙間ｇ２に流動体が侵入することを防止することと、筐体１０と鍔部３０の間に流動体が侵入しても回転軸２０の回転時にともない発生する遠心力で確実に外部に流動体を排出することと、を両立することができる。
【００２７】
また、実施形態１の回転軸貫通部の防水構造では、連通部１１ｃは、回転軸２０の軸心を中心とする複数の放射線状の線上にそれぞれ設けられている。すなわち、連通凹部１１ｃは、回転軸２０の軸心を中心とする放射状の線上に沿って形成される。そして、連通部１１ｃは、放射線状の同一線上において、互いに隣合う円環状の凹部１１ａ同士を連続して連通させないように設けられている。すなわち、連通凹部１１ｃは、同一の線上に沿って非連続になるように互い違いに形成されると良い（図１、図２）。この構成によれば、連通凹部１１ｃを放射状の線上に沿って形成することで、遠心力を受けて外側に移動しようとする流動体を速やかに移動させることができることと、連通凹部１１ｃを放射状の同一の線上に沿って非連続で形成することで、外側から内側に向けてその第２隙間ｇ２に流動体が侵入することをさらに防止することと、を両立することができる。
【００２８】
また、実施形態１の回転軸貫通部の防水構造では、ラビリンス構造を構成する最も外側の円環状の凹部１１ａからさらに外側に向けて、筐体１０の第２隙間ｇ２側にさらに溝部１１ｄが設けられている。そして、溝部１１ｄは、回転軸２０の軸心を中心とする複数の放射状の線上にそれぞれ設けられている。すなわち、第２隙間ｇ２には、筐体１０の鍔部３０に対面する面１１に、最も外側に形成された円環状の凹部１１ａからさらに外側に向けて、回転軸２０の軸心を中心とする放射状の線上に沿って溝部１１ｄが形成されている。また、溝部１１ｄは、ラビリンス構造に設けられている最も外側の連通部１１ｃに対して放射線状の同一線上に位置しないように設けられている。すなわち、溝部１１ｄと連通凹部１１ｃは、同一の線上に沿って連続にならないように互い違いに形成される。なお、溝部１１ｄの放射状の線上に沿った長さ寸法は、連通部１１ｃの放射状の線上に沿った長さ寸法よりも大きい寸法に形成されても良い。すなわち、ラビリンス構造を構成する最も外側の円環状の凹部１１ａからさらに外側に向かう部分の間隔は、隣り合う円環状の凹部１１ａ同士の間隔に対して幅広に形成されても良い。
【００２９】
この構成によれば、第２隙間ｇ２の中で、連通凹部１１ｃまたは溝部１１ｄによって形成される空間は、その他の空間に比べて広い空間となる。そのため、第２隙間ｇ２の中に侵入してしまった流動体は、鍔部３０の回転にともない遠心力を受けて移動する際に、なるべく圧力を受けにくい空間に移動する傾向にあるので、連通凹部１１ｃや溝部１１ｄからなる空間に集まりやすい。そして、連通凹部１１ｃや溝部１１ｄは、回転によって流動体に作用する遠心力の方向に沿って形成されているので、第２隙間ｇ２の中の流動体を鍔部３０の回転によって回転中心から外周に向かう方向に速やかに移動させて、筐体１０の外部に流動体を排出し易くする。
【００３０】
連通部１１ｃまたは溝部１１ｄが非連続的（互い違い）に設けられる放射線状の線の数は、２〜１６の範囲が好ましく、特に好ましくは４〜８である。放射線状の線の数がこの範囲内であれば、第２隙間ｇ２の中の流動体を鍔部３０の回転によって回転中心から外周に向かう方向に速やかに移動させて、筐体１０の外部に流動体を排出し易くでき、かつ外側から内側に向けてその第２隙間ｇ２に流動体が侵入することを防止することができるため好ましい。なお、この放射線状の線の数は、２、３、４、５、６、７、８、９、１０、１１、１２、１３、１４、１５、１６のうち任意の数値または任意の２つの数値の範囲内であってもよい。なお、鍔部３０および回転軸２０にかかる遠心力をバランスよくするためには、放射線状の線は互いに均等な角度だけ離れて配置されていることが好ましい。
【００３１】
連通部１１ｃまたは溝部１１ｄの放射線状の線幅は、５ｍｍ〜２０ｍｍの範囲が好ましく、特に好ましくは８ｍｍ〜１２ｍｍである。放射線状の線幅がこの範囲内であれば、第２隙間ｇ２の中の流動体を鍔部３０の回転によって回転中心から外周に向かう方向に速やかに移動させて、筐体１０の外部に流動体を排出し易くでき、かつ外側から内側に向けてその第２隙間ｇ２に流動体が侵入することを防止することができるため好ましい。なお、この放射線状の線幅は、５ｍｍ、６ｍｍ、７ｍｍ、８ｍｍ、９ｍｍ、１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、２０ｍｍのうち任意の数値または任意の２つの数値の範囲内であってもよい。
【００３２】
＜実施形態１の変形例１＞
この変形例に係る回転軸貫通部の防水構造は、基本的には上記の実施形態１と同様の構成および作用効果を有する。そのため、実施形態１と同様の点については説明を繰り返さない。以下、この変形例に特有の構成および作用効果について説明する。
【００３３】
図９は、実施形態１の回転軸貫通部の防水構造の変形例であって、筐体に円環状の凹部を形成し、鍔部に円環状の凸部を形成してある構成の他の一例を示し、図２の図（ｂ）の矢視断面図に相当する部分で代表して示す。図９（ａ）は、円環状の凹部の回転軸側の側面が回転軸側に傾斜し、円環状の凹部の回転軸の反対側の側面が回転軸の反対側に傾斜し、円環状の凸部の回転軸側の側面が回転軸の反対側に傾斜し、円環状の凸部の回転軸の反対側の側面が回転軸側に傾斜している図である。
【００３４】
この変形例では、実施形態１とは異なり、鍔部３０側の円環状の各凸部３１ｂは、各凸部３１ｂの回転軸２０側の側面が、各凸部３１ｂの先端に近づくほど外側になるように傾斜して設けられている。また、各凸部３１ｂの外側の側面が、各凸部３１ｂの先端に近づくほど回転軸側になるように傾斜して設けられている。すなわち、円環状の凸部３１ｂは、回転軸２０側の側面であれば回転軸２０側の反対側に傾斜するように形成され、回転軸２０側の側面の反対側の側面であれば回転軸２０側に傾斜するように形成されている（図９（ａ）参照）。この構成によれば、円環状の凸部３１ｂの断面形状を、凸形状の底部に比べて頂部を狭めることで、遠心力を受けた流動体が、円環状の凸部３１ｂの側面に沿って、回転の中心から外周の方向に向かって移動し易くなる。
【００３５】
また、この変形例では、実施形態１とは異なり、筐体１０側の円環状の各凹部１１ａは、各凹部１１ａの回転軸２０側の側面が、各凹部１１ａの底部に近づくほど外側になるように傾斜して設けられている。また、各凹部１１ａの外側の側面が、各凹部１１ａの底部に近づくほど回転軸側になるように傾斜して設けられている。すなわち、円環状の凹部１１ａは、回転軸２０側の側面であれば回転軸２０側に傾斜するように形成され、回転軸２０側の側面の反対側の側面であれば回転軸２０側の反対側に傾斜するように形成されている（図９（ａ）参照）。円環状の凹部１１ａの断面形状を、凹形状の底部に比べて開口部を広げることで、遠心力を受けた流動体が、円環状の凹部１１ａの側面に沿って、回転の中心から外周の方向に向かって移動し易くなる。
【００３６】
＜実施形態１の変形例２＞
この変形例に係る回転軸貫通部の防水構造は、基本的には上記の実施形態１と同様の構成および作用効果を有する。そのため、実施形態１と同様の点については説明を繰り返さない。以下、この変形例に特有の構成および作用効果について説明する。
【００３７】
図９は、実施形態１の回転軸貫通部の防水構造の変形例であって、筐体に円環状の凹部を形成し、鍔部に円環状の凸部を形成してある構成の他の一例を示し、図２の図（ｂ）の矢視断面図に相当する部分で代表して示す。図９（ｂ）は、円環状の凹部の回転軸側の側面が回転軸側に傾斜し、円環状の凸部の回転軸側の側面が回転軸の反対側に傾斜している図である。
【００３８】
この変形例では、実施形態１とは異なり、鍔部３０側の円環状の各凸部３１ｂは、各凸部３１ｂの回転軸２０側の側面が、各凸部３１ｂの先端に近づくほど外側になるように傾斜して設けられている。一方、各凸部３１ｂの外側の側面が、各凸部３１ｂの先端に近づいても傾斜しないように設けられている。すなわち、円環状の凸部３１ｂは、回転軸２０側の側面だけが回転軸２０側の反対側に傾斜するように形成され、回転軸２０側の側面の反対側の側面が回転軸２０側に傾斜しないように形成されている（図９（ｂ）参照）。この構成でも、円環状の凸部３１ｂの断面形状を、凸形状の底部に比べて頂部を狭めることで、遠心力を受けた流動体が、円環状の凸部３１ｂの側面に沿って、回転の中心から外周の方向に向かって移動し易くなる。
【００３９】
また、この変形例では、実施形態１とは異なり、筐体１０側の円環状の各凹部１１ａは、各凹部１１ａの回転軸２０側の側面が、各凹部１１ａの底部に近づくほど外側になるように傾斜して設けられている。一方、各凹部１１ａの外側の側面が、各凹部１１ａの底部に近づいても回転軸側に傾斜しないように設けられている。すなわち、円環状の凹部１１ａは、回転軸２０側の側面だけが回転軸２０側に傾斜するように形成され、回転軸２０側の側面の反対側の側面が回転軸２０側の反対側に傾斜しないように形成されている（図９（ｂ）参照）。この構成でも、円環状の凹部１１ａの断面形状を、凹形状の底部に比べて開口部を広げることで、遠心力を受けた流動体が、円環状の凹部１１ａの側面に沿って、回転の中心から外周の方向に向かって移動し易くなる。
【００４０】
＜実施形態２＞
この実施形態２に係る回転軸貫通部の防水構造は、基本的には上記の実施形態１と同様の構成および作用効果を有する。そのため、実施形態１と同様の点については説明を繰り返さない。以下、この実施形態２に特有の構成および作用効果について説明する。
【００４１】
図３は、実施形態２の回転軸貫通部の防水構造であって、筐体に円環状の凹部を形成し、鍔部に円環状の凸部を形成してあるとともに円環状の凸部に切欠部からなる連通部を形成してある構成の一例を示す。図３（ａ）は、回転軸貫通部を回転軸の軸方向に向かって筐体の外側から見るとともに鍔部を透かして見るために鍔部を点線で表示した図であり、図３（ｂ）のＥ−Ｅ矢視平面図である。図３（ｂ）は、図３（ａ）のＤ−Ｄ矢視断面図である。
【００４２】
図４（ａ）は、図３のＡ−Ａ矢視断面図である。図４（ｂ）は、図３のＢ−Ｂ矢視断面図である。そして、図４（ｃ）は、図３のＣ−Ｃ矢視断面図である。実施形態２の回転軸貫通部の防水構造においては、筐体１０と鍔部３０の間の第２隙間ｇ２では、鍔部３０の筐体１０に対面する面３１に、回転軸２０の軸心と同心であって、回転軸２０の軸方向に突き出る円環状の凸部３１ｂが形成されている。また、筐体１０の鍔部３０に対面する面１１に、回転軸２０の軸心と同心であって、対面する円環状の凸部３１ｂが隙間を空けて挿入される円環状の凹部１１ａが形成されていることで、入り組んだ空間の形状（ラビリンス構造）に形成されている。
【００４３】
実施形態２の回転軸貫通部の防水構造では、鍔部３０側の凹凸部の円環状の各凸部３１ｂには、その鍔部３０側の凹凸部の互いに隣合う円環状の凹部３１ａ同士をその凸部３１ｂを横切って連通するための連通部（切欠部）３１ｅが設けられている。すなわち、第２隙間ｇ２には、円環状の凸部３１ｂの一部に形成される切欠部３１ｅからなる空間が含まれる。
【００４４】
この構成によれば、筐体１０側の凹凸部および鍔部３０側の凹凸部が互いに嵌り合っている部分における回転軸の軸方向の第２隙間ｇ２の寸法に比べて、互いに隣合う円環状の凹部３１ａ同士を凸部３１ｂを横切って連通する連通部（切欠部）３１ｅにおける回転軸の軸方向の隙間の寸法の方が大きく形成されているため、遠心力によって移動させられる流動体が内側の円環状の凹部３１ａから連通部（切欠部）３１ｅに導かれて、その連通部（切欠部）３１ｅを通して隣でかつ外側の円環状の凹部３１ａに向けて移動し易くなる。
【００４５】
また、実施形態２の回転軸貫通部の防水構造では、連通部（切欠部）３１ｅは、回転軸２０の軸心を中心とする複数の放射線状の線上にそれぞれ設けられている。すなわち、切欠部３１ｅは、回転軸２０の軸心を中心とする放射状の線上に沿って形成される。そして、切欠部３１ｅは、放射線状の同一線上において、互いに隣合う円環状の凹部３１ａ同士を連続して連通させないように設けられている。すなわち、連通凹部３１ａは、同一の線上に沿って非連続になるように互い違いに形成されると良い（図３、図４）。
【００４６】
＜実施形態３＞
この実施形態３に係る回転軸貫通部の防水構造は、基本的には上記の実施形態１と同様の構成および作用効果を有する。そのため、実施形態１と同様の点については説明を繰り返さない。以下、この実施形態３に特有の構成および作用効果について説明する。
【００４７】
図５は、実施形態３の回転軸貫通部の防水構造であって、筐体に円環状の凸部を形成し、鍔部に円環状の凹部を形成してあるとともに円環状の凹部同士を繋げる連通部を形成してある構成の一例を示す。図５（ａ）は、回転軸貫通部を回転軸の軸方向に向かって筐体の外側から見るとともに鍔部を透かして見るために鍔部を点線で表示した図であり、図５（ｂ）のＥ−Ｅ矢視平面図である。図５（ｂ）は、図５（ａ）のＤ−Ｄ矢視断面図である。
【００４８】
図６（ａ）は、図５のＡ−Ａ矢視断面図である。図６（ｂ）は、図５のＢ−Ｂ矢視断面図である。そして、図６（ｃ）は、図５のＣ−Ｃ矢視断面図である。実施形態３の回転軸貫通部の防水構造においては、筐体１０と鍔部３０の間の第２隙間ｇ２では、筐体１０の鍔部３０に対面する面１１に、回転軸２０の軸心と同心であって、回転軸２０の軸方向に突き出る円環状の凸部１１ｂが形成されている。また、鍔部３０の筐体１０に対面する面３１に、回転軸２０の軸心と同心であって、対面する円環状の凸部１１ｂが隙間を空けて挿入される円環状の凹部３１ａが形成されていることで、入り組んだ空間の形状（ラビリンス構造）に形成されている。
【００４９】
実施形態３の回転軸貫通部の防水構造では、鍔部３０側の凹凸部の円環状の各凸部３１ｂには、その鍔部３０側の凹凸部の互いに隣合う円環状の凹部３１ａ同士をその凸部３１ｂを横切って連通するための連通部（連通凹部）３１ｃが設けられている。すなわち、第２隙間ｇ２には、隣り合う円環状の凹部３１ａ同士を連通する連通凹部３１ｃから成る空間が設けられる。
【００５０】
この構成によれば、筐体１０側の凹凸部および鍔部３０側の凹凸部が互いに嵌り合っている部分における回転軸２０の軸方向の第２隙間ｇ２の寸法に比べて、互いに隣合う円環状の凹部３１ａ同士を凸部３１ｂを横切って連通する連通部（連通凹部）３１ｃにおける回転軸２０の軸方向の隙間の寸法の方が大きく形成されているため、遠心力によって移動させられる流動体が内側の円環状の凹部３１ａから連通部（連通凹部）３１ｃに導かれて、その連通部（連通凹部）３１ｃを通して隣でかつ外側の円環状の凹部３１ａに向けて移動し易くなる。
【００５１】
また、実施形態３の回転軸貫通部の防水構造では、連通部（連通凹部）３１ｃは、回転軸２０の軸心を中心とする複数の放射線状の線上にそれぞれ設けられている。すなわち、連通凹部３１ｃは、回転軸２０の軸心を中心とする放射状の線上に沿って形成される。そして、連通凹部３１ｃは、放射線状の同一線上において、互いに隣合う円環状の凹部３１ａ同士を連続して連通させないように設けられている。すなわち、連通凹部３１ｃは、同一の線上に沿って非連続になるように互い違いに形成されると良い（図５、図６）。
【００５２】
＜実施形態４＞
この実施形態４に係る回転軸貫通部の防水構造は、基本的には上記の実施形態１と同様の構成および作用効果を有する。そのため、実施形態１と同様の点については説明を繰り返さない。以下、この実施形態４に特有の構成および作用効果について説明する。
【００５３】
図７は、実施形態４の回転軸貫通部の防水構造であって、筐体に円環状の凸部を形成し、鍔部に円環状の凹部を形成してあるとともに円環状の凸部に切欠部からなる連通部を形成してある構成の一例を示す。図７（ａ）は、回転軸貫通部を回転軸の軸方向に向かって筐体の外側から見るとともに鍔部を透かして見るために鍔部を点線で表示した図であり、図７（ｂ）のＥ−Ｅ矢視平面図である。図７（ｂ）は、図７（ａ）のＤ−Ｄ矢視断面図である。
【００５４】
図８（ａ）は、図７のＡ−Ａ矢視断面図である。図８（ｂ）は、図７のＢ−Ｂ矢視断面図である。そして、図８（ｃ）は、図７のＣ−Ｃ矢視断面図である。実施形態４の回転軸貫通部の防水構造においては、筐体１０と鍔部３０の間の第２隙間ｇ２では、筐体１０の鍔部３０に対面する面１１に、回転軸２０の軸心と同心であって、回転軸２０の軸方向に突き出る円環状の凸部１１ｂが形成されている。また、鍔部３０の筐体１０に対面する面３１に、回転軸２０の軸心と同心であって、対面する円環状の凸部１１ｂが隙間を空けて挿入される円環状の凹部３１ａが形成されていることで、入り組んだ空間の形状（ラビリンス構造）に形成されている。
【００５５】
実施形態４の回転軸貫通部の防水構造では、筐体１０側の凹凸部の円環状の各凸部１１ｂには、その筐体１０側の凹凸部の互いに隣合う円環状の凹部１１ａ同士をその凸部１１ｂを横切って連通するための連通部（切欠部）１１ｅが設けられている。すなわち、第２隙間ｇ２には、隣り合う円環状の凹部１１ａ同士を連通する切欠部１１ｅから成る空間が設けられる。
【００５６】
この構成によれば、筐体１０側の凹凸部および鍔部３０側の凹凸部が互いに嵌り合っている部分における回転軸２０の軸方向の第２隙間ｇ２の寸法に比べて、互いに隣合う円環状の凹部１１ａ同士を凸部１１ｂを横切って連通する連通部（切欠部）１１ｅにおける回転軸２０の軸方向の隙間の寸法の方が大きく形成されているため、遠心力によって移動させられる流動体が内側の円環状の凹部１１ａから連通部（切欠部）１１ｅに導かれて、その連通部（切欠部）１１ｅを通して隣でかつ外側の円環状の凹部１１ａに向けて移動し易くなる。
【００５７】
また、実施形態４の回転軸貫通部の防水構造では、連通部（切欠部）１１ｅは、回転軸２０の軸心を中心とする複数の放射線状の線上にそれぞれ設けられている。すなわち、切欠部１１ｅは、回転軸２０の軸心を中心とする放射状の線上に沿って形成される。そして、切欠部１１ｅは、放射線状の同一線上において、互いに隣合う円環状の凹部１１ａ同士を連続して連通させないように設けられている。すなわち、切欠部１１ｅは、同一の線上に沿って非連続にならないように互い違いに形成されると良い（図７、図８）。
【００５８】
以上、図面を参照して本発明の実施形態について述べたが、これらは本発明の例示であり、上記以外の様々な構成を採用することもできる。
【００５９】
例えば、第２隙間ｇ２を形成する、円環状の凹部１１ａ、３１ａ、円環状の凸部１１ｂ、３１ｂ、連通凹部１１ｃ、３１ｃ、溝部１１ｄ、３１ｄ、および、切欠部１１ｅ、３１ｅは、図１〜図９に示す実施形態１〜４に記載の回転軸貫通部の防水構造に限定されず、各種必要な数を適宜に形成すれば良く、その形状や各種寸法や各種配置などについても適宜に設計すれば良い。また、図１〜図９の回転軸貫通部の防水構造では、筐体１０の上方に鍔部３０を配置するとともに回転軸２０が縦に配置されている状態で示されているが、それに限定されることなく、例えば、筐体１０の下方に鍔部３０を配置するようにしても良いし、例えば、筐体１０も鍔部３０も回転軸２０も横向きに配置するようにしても良い。また、本発明は、これまでに説明してきた実施の態様に限定されることなく、回転軸２０と貫通孔１０ａの間に、回転軸２０の回転を妨げないように表面の摩擦抵抗が小さいＯリングが設けられている場合などでも適用することが可能であり、貫通孔１０ａに回転自在に回転軸２０が挿通されている態様であれば適用が可能である。
【００６０】
また、上記の実施形態１〜４では連通部の構成を連通凹部または切欠部としたが、貫通孔としてもよい。このようにしても、同様に、遠心力によって移動させられる流動体が内側の円環状の凹部から貫通孔に導かれて、その貫通孔を通して隣でかつ外側の円環状の凹部に向けて移動し易くなる。
【００６１】
また、上記の実施形態１〜４では連通部または溝部が非連続的（互い違い）に設けられる放射線状の線は互いに均等な角度だけ離れて配置されていることとしたが、互いに不均等な角度だけ離れて配置されてもよい。このようにしても、同様に、遠心力によって移動させられる流動体が内側の円環状の凹部から貫通孔または溝部に導かれて、その貫通孔または溝部を通して外側に向けて移動し易くなる。
【００６２】
なお、上記の実施形態１の変形例２では、各凸部３１ｂの回転軸２０側の側面だけが、各凸部３１ｂの先端に近づくほど外側になるように傾斜して設けられており、各凹部１１ａの回転軸２０側の側面だけが、各凹部１１ａの底部に近づくほど外側になるように傾斜して設けられていることとしたが、反対の構成をとってもよい。すなわち、各凸部３１ｂの外側の側面だけが、各凸部３１ｂの先端に近づくほど回転軸２０側になるように傾斜して設けられており、各凹部１１ａの外側の側面だけが、各凹部１１ａの底部に近づくほど回転軸２０側になるように傾斜して設けられていてもよい。この構成でも、同様に、遠心力を受けた流動体が、回転の中心から外周の方向に向かって移動し易くなる。
【００６３】
また、上記の実施形態１の変形例１〜２は、他の実施形態２〜４の変形例としても成り立ち得る。この場合も、同様に、遠心力を受けた流動体が、回転の中心から外周の方向に向かって移動し易くなる。
【００６４】
また、上記の実施形態３および４では、実施形態１と同様の点について説明を繰り返さないようにするために、溝部３１ｄに関して説明をしていない。しかしながら、特に溝部３１ｄを排除する趣旨ではなく、実施形態１の溝部１１ｄと同様に、実施形態３および４でも溝部３１ｄを設けてもよい。この場合も、同様に、隙間ｇ２の中の流動体を鍔部３０の回転によって回転中心から外周に向かう方向に速やかに移動させて、筐体１０の外部に流動体を排出し易くすることができる。
【符号の説明】
【００６５】
１        回転軸貫通部
１０      筐体
１０ａ    貫通孔
１１      筐体の鍔部に対面する面
１１ａ    筐体に形成される円環状の凹部
１１ｂ    筐体に形成される円環状の凸部
１１ｃ    筐体に形成される連通部（連通凹部）
１１ｄ    筐体に形成される溝部
１１ｅ    筐体に形成される連通部（切欠部）
２０      回転軸
２１      回転軸受部材
２２      回転軸に鍔部を固定する部材
３０      鍔部
３０ａ    鍔部の外縁部
３１      鍔部の筐体に対面する面
３１ａ    鍔部に形成される円環状の凹部
３１ｂ    鍔部に形成される円環状の凸部
３１ｃ    鍔部に形成される連通部（連通凹部）
３１ｄ    鍔部に形成される溝部
３１ｅ    鍔部に形成される連通部（切欠部）
１１０    回転軸貫通部側の筐体
１１０ａ  回転軸貫通部側の筐体の外周面
２１０    回転軸貫通部側以外の筐体
ｇ１      貫通孔と回転軸の間の隙間（第１隙間）
ｇ２      筐体と鍔部の間の隙間（第２隙間）
【要約】      （修正有）【課題】筐体の貫通孔に回転自在に回転軸を挿通させる回転軸貫通部の防水性能の更なる向上が望まれる。【解決手段】筐体１０の外側およびその鍔部３０の間には隙間ｇ２が空いており、その隙間ｇ２にはアキシアル方向のラビリンス構造が設けられている。さらに、そのラビリンス構造は、その筐体１０のその隙間ｇ２側に設けられたその回転軸２０の軸心と同心の複数の円環状の凹凸部と、その鍔部３０のその隙間ｇ２側に設けられたその回転軸２０の軸心と同心の複数の円環状の凹凸部と、を備える。そして、その筐体１０側の凹凸部およびその鍔部３０側の凹凸部は、互いに隙間ｇ２を空けて嵌り合っており、その筐体１０側の凹凸部の円環状の各凸部１１ｂには、その筐体１０側の凹凸部の互いに隣合う円環状の凹部１１ａ同士をその凸部１１ｂを横切って連通するための連通部１１ｃが設けられている。【選択図】図１【図１】
0005579901.tif 000002
【図２】
0005579901.tif 000003
【図３】
0005579901.tif 000004
【図４】
0005579901.tif 000005
【図５】
0005579901.tif 000006
【図６】
0005579901.tif 000007
【図７】
0005579901.tif 000008
【図８】
0005579901.tif 000009
【図９】
0005579901.tif 000010